(57)【要約】【課題】　リモコンデータの登録作業を軽減し、さらに操作性を向上させたリモコン機能を付加した無線携帯端末を提供する。【解決手段】　あらかじめ操作対象の装置ごとに遠隔操作に対応したリモコンデータを格納したインターネット上のサーバから、ＲＦ５０を介してダウンロードし、機種名に対応付けてメモリ５４に格納するようにした。リモコン機能モードでは、選択された操作対象の装置に対応して、ダウンロードされた機種名のリモコンデータを読み出し、スイッチ３２の各操作に、操作対象の装置の遠隔操作の内容を対応付けてリモコン信号パターンを生成し、これを発光素子３５から発光信号として出力する。【選択図】　図４
2004048777.tif 000002
【特許請求の範囲】
【請求項１】
操作情報が入力される入力手段と、
ネットワークを介して前記操作情報と操作対象の装置を遠隔操作するための遠隔操作情報とを対応付けた遠隔操作データを受信する受信手段と、
この受信手段によって受信された遠隔操作データを記憶する記憶手段と、
前記操作情報に対応してこの記憶手段に記憶されている遠隔操作データの遠隔操作情報に基づいて前記操作対象の装置を遠隔操作する遠隔操作信号を送出する遠隔操作信号送出手段とを具備することを特徴とする無線携帯端末。
【請求項２】
操作情報が入力される入力手段と、
この入力手段によって入力された操作情報により第１のモードに設定されたとき前記操作情報にしたがって相手先と無線による通信を行う無線通信手段と、
前記無線通信手段により受信した前記操作情報と操作対象の装置を遠隔操作するための遠隔操作情報とを対応付けた遠隔操作データを記憶する記憶手段と、
前記入力手段によって入力された操作情報により第２のモードに設定されたとき前記操作情報に対応してこの記憶手段に記憶されている遠隔操作データの遠隔操作情報に基づいて前記操作対象の装置を遠隔操作する遠隔操作信号を送出する遠隔操作信号送出手段とを具備することを特徴とする無線携帯端末。
【請求項３】
文字等の情報を表示する表示手段と、操作情報が入力される入力手段と、
この入力手段によって入力された操作情報により第１のモード設定されたとき前記操作情報にしたがって相手先と無線による通信を行う無線通信手段と、
前記入力手段によって入力された操作情報により第２のモード設定されたとき前記無線通信手段により受信した前記操作情報と操作対象の装置を遠隔操作するための遠隔操作情報とを対応付けた遠隔操作データがリンクされたコンテンツデータを前記表示手段に表示するとともに前記入力手段によってこのコンテンツデータの所定の項目が指定されたとき前記項目にリンクされた遠隔操作データの遠隔操作情報を出力するコンテンツ表示制御手段と、
このコンテンツ表示制御手段によって出力された前記遠隔操作情報に基づいて前記操作対象の装置を遠隔操作する遠隔操作信号を送出する遠隔操作信号送出手段とを具備することを特徴とする無線携帯端末。
【請求項４】
文字等の情報を表示する表示手段と、操作情報としてこの表示手段によって表示された前記情報に対応して押下される位置を検出するタッチパネルと、
このタッチパネルによって検出された押下位置に基づいて第１のモード設定されたとき前記操作情報にしたがって相手先と無線による通信を行う無線通信手段と、
前記タッチパネルによって検出された押下位置に基づいて第２のモード設定されたとき前記無線通信手段により受信した前記操作情報と操作対象の装置を遠隔操作するための遠隔操作情報とを対応付けた遠隔操作データがリンクされたコンテンツデータを前記表示手段に表示するとともに前記タッチパネルによってこのコンテンツデータの所定の項目の位置において押下されたことが検出されたとき前記項目にリンクされた遠隔操作データの遠隔操作情報を出力するコンテンツ表示制御手段と、
このコンテンツ表示制御手段によって出力された前記遠隔操作情報に基づいて前記操作対象の装置を遠隔操作する遠隔操作信号を送出する遠隔操作信号送出手段とを具備することを特徴とする無線携帯端末。
【請求項５】
着信を検出する着信検出手段と、この着信検出手段によって前記着信が検出されたとき前記第１のモードに切り替えるモード切替手段とを備えることを特徴とする請求項２〜請求項４記載の無線携帯端末。
【請求項６】
前記遠隔操作信号送出手段は、前記遠隔操作情報に基づいて前記操作対象の装置を遠隔操作する遠隔操作信号として発光信号を出力する発光ダイオードであることを特徴とする請求項１〜請求項５記載の無線携帯端末。
【請求項７】
前記遠隔操作データは制御コマンドであり、前記遠隔操作信号送出手段は前記制御コマンドに基づいて前記操作対象の装置を遠隔操作する無指向性の遠隔操作信号を送出することを特徴とする請求項１〜請求項５記載の無線携帯端末。
【発明の詳細な説明】
【技術分野】
【０００１】
本発明は、無線携帯端末に係わり、詳細には複数のキーを備える無線携帯端末に関する。
【背景技術】
【０００２】
この種の無線携帯端末は、例えば携帯電話のように小型軽量化とサービスエリアの拡充が進み、あらゆる場所で通信サービスを利用することができるようになった結果、利用者は外出先のみならず家庭内でも無線携帯端末を常時携帯するように至っている。
【０００３】
　無線携帯端末の小型軽量化とともに通信システムとして高度な通信サービスが提供されるようになり、端末自体が処理能力の高い中央処理装置（Central Processing Unit：以下、ＣＰＵと略す。）によって制御されるようになっている。例えば携帯電話では、電話帳機能としてキー操作によりあらかじめ登録されている相手先に手間をかけることなく直接電話をかけることができたり、データ通信機能としてコンピュータネットワークが相互接続されたインターネット上の各種サーバにアクセスして、コンテンツを閲覧したりすることができるようになった。このように無線携帯端末は、高度な付加機能によりその付加価値を高めている。
【０００４】
　この無線携帯端末の付加価値を高める付加機能の１つに、端末の携帯性やキーの共用化に着目した遠隔操作（リモートコントロール：以下、リモコンと略す。）機能がある。リモコン機能は、例えば制御内容に対応したリモコンデータを赤外線として送出することによって、家庭内の電子機器等を遠隔制御する機能である。
【０００５】
　家庭内では高機能な電子機器があふれ、電子機器ごとに遠隔制御が可能なリモコン装置を備えるようになっている。しかし、これらリモコン装置は、形状も雑多で、電子機器の高機能化によりそれぞれ個別に複雑化した操作内容のため、各電子機器の操作も非常に煩雑になっている。そこで、常時携帯することによって操作の慣れたキー配置を有する携帯電話等の無線携帯端末に、上述したリモコン機能を付加したものが提案されている。これにより、煩雑になる複数のリモコン装置それぞれ個別の操作を不要とし、リモコン機能の操作性の向上を図る。
【０００６】
　図２７は、このようなリモコン機能が付加された従来の無線携帯端末の構成の概要を表わしたものである。この無線携帯端末は、通常の携帯電話機と同様に、基本携帯電話モジュール１０と、液晶ディスプレイ（Liquid Crystal Display：以下、ＬＣＤと略す。）１１と、メモリ１２と、スイッチ１３とを備えている。基本携帯電話モジュール１０は、アンテナ１４を有し、図示しない移動体通信網を介して通常の通話機能や電話帳機能を制御する。基本携帯電話モジュール１０は、メモリ１２に記憶されている各種設定情報に基づいて、スイッチ１３を介して指示された操作内容にしたがって、アンテナ１４を介した移動通信による通話を行う。その際、ＬＣＤ１１には、例えば通話開始前の電話帳や、通話状態などが表示される。
【０００７】
　さらに、この無線携帯端末は、リモコン機能制御部１５と、ドライバ１６と、発光素子１７と、波形成形部１８と、ホトトランジスタ１９とを備えている。リモコン機能制御部１５は、リモコン機能を制御する。この無線携帯端末では、スイッチ１３を介したモード切替によって、基本携帯電話モジュール１０あるいはリモコン機能制御部１５のいずれかに制御を切り替えることができるようになっている。モード切替によってリモコン機能が選択されたとき、リモコン機能制御部１５は、基本携帯電話モジュール１０を介して、メモリ１２に記憶されている各種設定情報に基づいて、スイッチ１３を介して指示された操作内容に対応したリモコン動作を行う。すなわち、スイッチ１３で押下されたキーに対応してメモリ１２にあらかじめ登録されているリモコンデータのパターンを読み出して、ドライバ１６により発光素子１７を発光させる。
【０００８】
　このようなリモコン動作を行うために、この無線携帯端末ではユーザ独自に使用するリモコン装置に対応したリモコンデータを登録することができる。このため、無線携帯端末は、ホトトランジスタ１９を備えている。ユーザは、手持ちのリモコンの発光部をこのホトトランジスタ１９に向けて、所望のリモコン操作を行う。無線携帯端末では、ホトトランジスタで、ユーザによって操作されたリモコンデータを光電変換した後、波形成形部１８でディジタル変換し、パターン信号データとして取得する。リモコン機能制御部１５は、スイッチ１３を介して登録されたパターン信号データの種類を特定する機能名と、波形成形部１８でディジタル化されたパターン信号データとを対応付けてメモリ１２に登録する。このようにしてユーザは、無線携帯端末に手持ちのリモコン装置の操作ごとに無線携帯端末に登録していく。
【０００９】
　登録されたリモコンデータは、ＬＣＤ１１に登録した機能名の選択画面を表示してスイッチ１３を介して選択指示を行わせ、選択された機能名に対応したパターン信号データをメモリ１２から読み出させる。そして、ドライバ１６を介して、発光素子１７からパターン信号データに対応したパターンを発光させる。
【００１０】
　このようなリモコン機能が付加された無線携帯端末に関する技術は、例えば特開平９−２３３５４９号公報「携帯電話機」に開示されている。
【００１１】
【特許文献１】特開平９−２３３５４９号公報
【発明の開示】
【発明が解決しようとする課題】
【００１２】
　しかしながら従来のリモコン機能が付加された無線携帯端末では、リモコン機能を動作させるため、前もって手持ちのリモコン装置のリモコンデータを登録する必要があり、この登録作業が非常に煩雑なため、かなりの時間を要するという問題があった。これは、登録するリモコン操作ごとに、手持ちのリモコン装置から発光されるパターン信号をホトトランジスタで受光し、メモリに格納するとともに、それぞれにキーの押下により、それぞれのパターン信号の機能名を入力する必要があったためである。
【００１３】
　また、上述した無線携帯端末では、操作性が低下せざるを得ないばかりか、視認性が劣るという問題があった。これは、ＬＣＤに表示された選択画面から指示内容を選択するようにしていたため、ＬＣＤにはテキスト形式の選択画面が表示されるためである。このような問題の解決策として、登録された各リモコン操作を無線携帯端末のキーに割り当てることも可能である。しかしながら、複数のリモコン装置を共用する場合、キーの種類が足りないため、リモコン装置ごとにキーの割り当てを変えることが行われることが考えられる。その場合、ユーザがどのリモコン装置の操作を行っているか、混乱を生じやすくなり、操作性を著しく低下させる。
【００１４】
　そこで本発明の目的は、手間をかけずにリモコンデータを登録するリモコン機能を付加した無線携帯端末を提供することにある。
【００１５】
　また本発明の他の目的は、操作性を向上させたリモコン機能を付加した無線携帯端末を提供することにある。
【課題を解決するための手段】
【００１６】
　請求項１記載の発明では、（イ）操作情報が入力される入力手段と、（ロ）ネットワークを介して操作情報と操作対象の装置を遠隔操作するための遠隔操作情報とを対応付けた遠隔操作データを受信する受信手段と、（ハ）この受信手段によって受信された遠隔操作データを記憶する記憶手段と、（ニ）操作情報に対応してこの記憶手段に記憶されている遠隔操作データの遠隔操作情報に基づいて操作対象の装置を遠隔操作する遠隔操作信号を送出する遠隔操作信号送出手段とを無線携帯端末に具備させる。
【００１７】
　すなわち請求項１記載の発明では、ネットワークを介して操作対象の装置の遠隔操作データを受信し、入力手段による操作情報に対応した遠隔操作データに基づいて、遠隔操作信号送出手段により操作対象の装置を遠隔操作する遠隔操作信号を送出するようにしている。
【００１８】
　請求項２記載の発明では、（イ）操作情報が入力される入力手段と、（ロ）この入力手段によって入力された操作情報により第１のモードに設定されたとき操作情報にしたがって相手先と無線による通信を行う無線通信手段と、（ハ）無線通信手段により受信した操作情報と操作対象の装置を遠隔操作するための遠隔操作情報とを対応付けた遠隔操作データを記憶する記憶手段と、（ニ）入力手段によって入力された操作情報により第２のモードに設定されたとき操作情報に対応してこの記憶手段に記憶されている遠隔操作データの遠隔操作情報に基づいて操作対象の装置を遠隔操作する遠隔操作信号を送出する遠隔操作信号送出手段とを無線携帯端末に具備させる。
【００１９】
　すなわち請求項２記載の発明では、入力手段によって入力された操作情報により第１のモードに設定されたとき操作情報にしたがって相手先と無線通信を行い、操作情報により第２のモードに設定されたとき第１のモードで受信した操作対象の装置の遠隔操作データに基づいて、遠隔操作信号送出手段により操作対象の装置を遠隔操作する遠隔操作信号を送出するようにしている。
【００２０】
　請求項３記載の発明では、（イ）文字等の情報を表示する表示手段と、（ロ）操作情報が入力される入力手段と、（ハ）この入力手段によって入力された操作情報により第１のモード設定されたとき操作情報にしたがって相手先と無線による通信を行う無線通信手段と、（ニ）入力手段によって入力された操作情報により第２のモード設定されたとき無線通信手段により受信した操作情報と操作対象の装置を遠隔操作するための遠隔操作情報とを対応付けた遠隔操作データがリンクされたコンテンツデータを表示手段に表示するとともに入力手段によってこのコンテンツデータの所定の項目が指定されたとき項目にリンクされた遠隔操作データの遠隔操作情報を出力するコンテンツ表示制御手段と、（ホ）このコンテンツ表示制御手段によって出力された遠隔操作情報に基づいて操作対象の装置を遠隔操作する遠隔操作信号を送出する遠隔操作信号送出手段とを無線携帯端末に具備させる。
【００２１】
　すなわち請求項３記載の発明では、入力手段によって入力された操作情報により第１のモードに設定されたとき操作情報にしたがって相手先と無線通信を行い、操作情報により第２のモードに設定されたとき第１のモードで受信した操作対象の装置の遠隔操作データがリンクされたコンテンツデータを、コンテンツ表示制御手段で表示手段に表示させる。さらに、表示手段に表示したコンテンツデータの所定の項目が指定されたときこの項目にあらかじめリンクされた遠隔操作データを出力し、これに基づいて操作対象の装置を遠隔操作する遠隔操作信号を送出するようにしている。
【００２２】
　請求項４記載の発明では、（イ）文字等の情報を表示する表示手段と、（ロ）操作情報としてこの表示手段によって表示された情報に対応して押下される位置を検出するタッチパネルと、（ハ）このタッチパネルによって検出された押下位置に基づいて第１のモード設定されたとき操作情報にしたがって相手先と無線による通信を行う無線通信手段と、（ニ）タッチパネルによって検出された押下位置に基づいて第２のモード設定されたとき無線通信手段により受信した操作情報と操作対象の装置を遠隔操作するための遠隔操作情報とを対応付けた遠隔操作データがリンクされたコンテンツデータを表示手段に表示するとともにタッチパネルによってこのコンテンツデータの所定の項目の位置において押下されたことが検出されたとき項目にリンクされた遠隔操作データの遠隔操作情報を出力するコンテンツ表示制御手段と、（ホ）このコンテンツ表示制御手段によって出力された遠隔操作情報に基づいて操作対象の装置を遠隔操作する遠隔操作信号を送出する遠隔操作信号送出手段とを無線携帯端末に具備させる。
【００２３】
　すなわち請求項４記載の発明では、請求項３記載の発明に対して、タッチパネルを設け、操作情報として表示手段の表示情報に対応して押下される位置を検出するようにしている。
【００２４】
　請求項５記載の発明では、請求項２〜請求項４記載の無線携帯端末で、着信を検出する着信検出手段と、この着信検出手段によって着信が検出されたとき第１のモードに切り替えるモード切替手段とを備えることを特徴としている。
【００２５】
　すなわち請求項５記載の発明では、着信検出手段で着信が検出されたときに強制的に第１のモードに切り替えて着信に対応することができるようにしたので、例えば携帯電話などでは迅速に電話応対を行うことができ、本来の電話機能を損なうことなく付加価値の高い無線携帯端末を提供することができる。
【００２６】
　請求項６記載の発明では、請求項１〜請求項５記載の無線携帯端末で、遠隔操作信号送出手段は、遠隔操作データに基づいて操作対象の装置を遠隔操作する遠隔操作信号として発光信号を出力する発光ダイオードであることを特徴としている。
【００２７】
　すなわち請求項６記載の発明では、受信した遠隔操作データに対応した発光信号を発光ダイオードから出力するようにしたので、従来から広く利用されている電子機器の遠隔操作を行うリモコン装置のリモコン機能を付加した無線携帯端末を提供することができる。
【００２８】
　請求項７記載の発明では、請求項１〜請求項５記載の無線携帯端末で、遠隔操作データは制御コマンドであり、遠隔操作信号送出手段は制御コマンドに基づいて操作対象の装置を遠隔操作する無指向性の遠隔操作信号を送出することを特徴としている。
【００２９】
　すなわち請求項７記載の発明では、所定の制御コマンドを受信し、これに対応した無指向性の遠隔操作信号を送出するようにしたので、例えば、次世代の無線接続技術として注目されている、家庭内やオフィス内でパーソナルコンピュータ、携帯電話あるいは家電製品等の電子機器間の無線による接続を可能とするＢｌｕｅｔｏｏｔｈシステムやＨｏｍｅＲＦシステム等にも適用することができる。
【発明の効果】
【００３０】
　請求項１記載の発明によれば、従来のような受光素子を不要とし、無線携帯端末へのリモコン機能の取り込み作業の負荷が大幅に軽減される。また、リモコンプログラムに不具合があった場合でも、従来のようにリモコン装置本体を交換することなく、無線携帯端末内のリモコンデータを再ダウンロードによりアップデートすることによって、常に最新版のリモコンプログラムによる装置の遠隔操作を行うことができる。
【００３１】
　また請求項２記載の発明によれば、請求項１記載の発明の効果に加えて、第１のモードで受信した遠隔操作データを第２のモードで操作対象の装置に対して遠隔操作信号を送出するようにしたので、無線通信可能な携帯端末により遠隔操作データを受信し、これにリモコン機能を容易に付加することができる。
【００３２】
　さらに請求項３記載の発明によれば、請求項２記載の発明の効果に加えて、無線携帯端末に取り込んだ既存のリモコン装置とスイッチの数や位置が異なっている場合であって、表示手段に表示された画面上で操作するだけで良いので、操作性を向上させることができるとともに、既存のインターネットシステムへの適用も容易となる。
【００３３】
　さらにまた請求項４記載の発明によれば、請求項３記載の発明の効果に加えて、既存のリモコン装置本体と同じ機能、視認性、操作性を備えたリモコン機能が付加された無線携帯端末を提供することができる。
【００３４】
　さらに請求項５記載の発明によれば、着信が検出されたときに強制的に第１のモードに切り替えて着信に対応することができるようにしたので、例えば携帯電話では迅速に電話応対を行うことができ、本来の電話機能を損なうことなく付加価値の高い無線携帯端末を提供することができる。
【００３５】
　さらにまた請求項６記載の発明によれば、受信した遠隔操作データに対応した発光信号を発光ダイオードから出力するようにしたので、従来から広く利用されている電子機器の遠隔操作を行うリモコン装置のリモコン機能を付加した無線携帯端末を提供することができる。
【００３６】
　さらに請求項７記載の発明では、所定の制御コマンドを受信し、これに対応した無指向性の遠隔操作信号を送出するようにしたので、例えば、次世代の無線接続技術として注目されている、家庭内やオフィス内でパーソナルコンピュータ、携帯電話あるいは家電製品等の電子機器間の無線による接続を可能とするＢｌｕｅｔｏｏｔｈシステムやＨｏｍｅＲＦシステム等にも適用することができる。さらに、無指向性の電波を用いることができるので、ユーザにとっても操作対象の電子機器等に発光部を向ける必要がなく、使い勝手を格段に向上させることができる。
【発明を実施するための最良の形態】
【００３７】
以下実施例につき本発明を詳細に説明する。
【実施例１】
【００３８】
　図１は、本発明の第１の実施例における無線携帯端末が適用される通信システムの構成の概要を表わしたものである。以下では、無線携帯端末が携帯電話であるものとする。この通信システムでは、第１の実施例における無線携帯端末２０が、データ通信ネットワークとして例えばコンピュータネットワークが相互に接続されたインターネット２１を介して、リモコンデータを格納するサーバ２２と接続されている。
【００３９】
　第１の実施例における無線携帯端末２０は、赤外線により電子機器等の遠隔操作を行うリモコン機能を備え、図示しない移動体通信網を介して移動通信を行う。サーバ２２には、各種電子機器のリモコンデータを格納しており、無線携帯端末２０はインターネット２１を介してこのサーバ２２に格納されているリモコンデータをダウンロードすることができるようになっている。
【００４０】
　図２は、第１の実施例における無線携帯端末２０の外観を表わしたものである。無線携帯端末２０は、その正面に、スピーカ３０と、ＬＣＤ３１と、各種スイッチ３２と、マイクロフォン３３とが配置されている。さらに無線携帯端末２０は、スピーカ３０の図２において上側に位置する端面に、アンテナ３４と、発光素子３５とを備えている。
【００４１】
　このような構成の無線携帯端末２０は、スイッチ３２の“ＰＷＲ”キー３６の押下により電源がオン状態とされ、“Ｍｏｄｅ”キー３７の押下により電話機能モードとリモコン機能モードとの切り替えが行われる。また、電話機能モードのとき着信呼が発生した場合、“ＭＳＧ”キー３９の押下により、呼の接続を行う。
【００４２】
　各機能モードでは、“Ｍｅｎｕ”キー３８の押下によりＬＣＤ３１に表示されたメニュー画面を参照しながら、カーソルキー４０の操作によりあらかじめ設定されている選択項目に対応して、各種機能を設定することができるようになっている。例えば、電話機能モードでは、電話帳、着信音設定あるいはインターネットアクセス設定などを設定することができる。また、電話機能モードにおける通常の通話時には、スイッチ３２の操作により、アンテナ３４を介して図示しない移動体通信網の基地局と接続され、相手先の電話機との間に通信回線が設けられる。この通信回線を介して、マイクロフォン３３より入力した音声情報が送出されるとともに、受信した相手先の音声情報がスピーカ３０から出力される。
【００４３】
　一方、リモコン機能モードでは、“Ｍｅｎｕ”キー３８の押下によりＬＣＤ３１に表示されたメニュー画面を参照しながら、カーソルキー４０の操作によりダウンロードされたリモコンデータの中から選択した遠隔操作対象の機器を選択する。無線携帯端末２０は、選択されたリモコンデータに基づいて、その後ユーザのスイッチ３２あるいはカーソルキー４０による操作内容に対応して生成された発光パターンの発光信号が、発光素子３５から遠隔操作対象の電子機器に対して送出される。
【００４４】
　図３は、第１の実施例における無線携帯端末２０により、このようなリモコン機能を実現するためのユーザの作業の流れの概要を表わしたものである。まずユーザは、電話機能モードで無線携帯端末２０からインターネット２１を介してサーバ２２に接続する（ステップＳ４０）。そして、このサーバ２２に格納されている各種電子機器のリモコンデータから、所望のリモコンデータをダウンロードする（ステップＳ４１）。そして、リモコン機能モードにおいて、無線携帯端末２０をダウンロードしたリモコンデータ基づいて、ＬＣＤ３１リモコン操作の内容を表示させ、スイッチ３２あるいはカーソルキー４０の操作を行う。無線携帯端末２０は、ユーザによって指示された操作内容に対応したリモコンデータの発光パターンを生成し、発光素子３５から発光信号を出力する。これにより、ユーザは、ダウンロードしたリモコンデータに対応する電子機器の遠隔操作を行うことができる（ステップＳ４２）。
【００４５】
　以下、無線携帯端末２０について詳細に説明する。
【００４６】
　図４は、無線携帯端末２０の構成の概要を表わしたものである。ただし、図２に示す無線携帯端末２０と同一部分には同一符号を付し、適宜説明を省略する。無線携帯端末２０は、アンテナ３４を介して無線通信を行う無線部（Radio Frequency：以下、ＲＦと略す。）５０と、文字等の情報を表示するＬＣＤ３１と、ＬＣＤ３１を駆動して指示された表示情報にしたがって表示させるＬＣＤドライバ５１と、例えば発光ダイオードからなる発光素子３５と、発光素子３５を駆動してリモコンデータに対応した信号を発光させるドライバ５２と、これら端末各部の制御を司る制御部５３と、制御部５３の処理結果やリモコンデータ等を格納するためのメモリ５４と、各種操作内容を入力するためのスイッチ３２とを備えている。
【００４７】
　このような構成の無線携帯端末２０では、メモリ５４にあらかじめ設定されているメニューデータを、ＬＣＤドライバ５１を介してＬＣＤ３１に表示する。そして、スイッチ３２による操作内容にしたがって、ＲＦ５０を介した移動通信あるいはインターネットアクセスを行ったり、ドライバ５２を介して発光素子３５から電子機器を遠隔操作する発光パターンを出力したりする。
【００４８】
　制御部５３は、図示しないＣＰＵを有しており、メモリ５４に格納された制御プログラムにしたがって上述した制御を行うことができるようになっている。
【００４９】
　図５は、制御部５３による各種機能を設定する設定処理のうち上述したインターネットアクセス処理に関する処理内容の一例を表わしたものである。制御部５３は、例えばスイッチ３２における各キーの押下を監視しており、“Ｍｅｎｕ”キー３８が押下されたときに次のような処理を行う。すなわち、制御部５３は、メモリ５４に格納されているメニューデータをＬＣＤドライバ５１を介してＬＣＤ３１に表示させる（ステップＳ６０）。
【００５０】
　図６は、ステップＳ６０におけるＬＣＤ３１におけるメニュー表示状態のイメージを表わしたものである。このように、“Ｍｅｎｕ”キー３８の押下により、あらかじめ頻繁に利用する相手先の電話番号や名前等を登録する“電話帳”、例えば着信音を発信元に応じて設定する“着信音設定”、“その他設定”、そして“インターネットアクセス”が選択項目としてＬＣＤ３１に表示される。選択項目を示すカーソルは、カーソルキー４０によって移動させることができ、所定の決定ボタンにより選択することができるようになっている。
【００５１】
　ステップＳ６０によるメニュー表示後、カーソルキー４０の操作によって“電話帳”が選択されたとき（ステップＳ６１：Ｙ）、メモリ５４に格納されている電話帳登録情報を読み出して所定の電話帳機能を実行し（ステップＳ６２）、一連の処理を終了する（エンド）。ステップＳ６１で、カーソルキー４０の操作によって“電話帳”が選択されずに“着信音設定”が選択されたとき（ステップＳ６１：Ｎ、ステップＳ６３：Ｙ）、メモリ５４に格納されている着信音設定情報を読み出して所定の着信音設定機能を実行し（ステップＳ６４）、一連の処理を終了する（エンド）。ステップＳ６３で、カーソルキー４０の操作によって“着信音設定”が選択されずに“インターネットアクセス”が選択されたとき（ステップＳ６３：Ｎ、ステップＳ６５：Ｙ）、メモリ５４に格納されているインターネット上の各種リソースの場所を特定するためのＵＲＬ（Uniform Resource Locators）設定処理情報を読み出して、所定のインターネットアクセス機能を実行するためのＵＲＬを設定させる。
【００５２】
　図７は、上述したＵＲＬ設定情報の読み出し後のＵＲＬ設定処理におけるＬＣＤ３１の表示状態のイメージを表わしたものである。このように“ＵＲＬ＞”に続いて、アクセスすべきインターネット上のサーバを特定するＵＲＬをスイッチ３２の操作により入力させる（ステップＳ６６）。
【００５３】
　ＵＲＬ設定後、制御部５３は、ＲＦ５０を介してインターネット上のサーバ２２にアクセスする。そして、制御部５３は、サーバ２２よりダウンロード表示データを受信し、これをＬＣＤ３１に表示させる。
【００５４】
　図８および図９は、ＬＣＤ３１に表示されたアクセスしたＵＲＬのダウンロードした各種画面表示状態のイメージを表わしたものである。ここでは、ホームページに表示された選択項目の１つに、リモコンデータのダウンロードサービスが提供されている場合を示している。したがって、ユーザは、カーソルキー４０の操作によって、アクセスしたホームページのリモコンデータのダウンロードサービス画面を選択し、図９に示すように表示された各種電子機器の中から所望の電子機器を選択することで、リモコンデータを取得することができるようになっている。
【００５５】
　このようにしてユーザによって所望のリモコンデータの取得が要求されると、制御部５３は、これをアンテナ３４を介してダウンロードされたリモコンデータをＲＦ５０で受信し（ステップＳ６７）、メモリ５４に格納し（ステップＳ６８）、一連の処理を終了する（エンド）。この格納の際には、受信したリモコンデータとこのリモコンデータにより操作可能な機種名とを対応付けておく。
【００５６】
　なお、ステップＳ６５で、カーソルキー４０の操作によって“インターネットアクセス”が選択されず、“その他設定”が選択されたとき（ステップＳ６５：Ｎ）、メモリ５４に格納されているその他設定情報に基づいて設定機能を実行し（ステップＳ６９）、一連の処理を終了する（エンド）。
【００５７】
　このようにサーバにアクセスして、所望のリモコンデータにダウンロード（図３のステップＳ４０、ステップＳ４１）した後は、“Ｍｏｄｅ”キー３７の操作によって通常の電話機能の他に、リモコン機能を実行させることができる（図３のステップＳ４２）。
【００５８】
　図１０は、制御部５３による機能モード設定の処理内容の一例を表わしたものである。制御部５３は、例えばスイッチ３２における各キーの押下を監視しており、“Ｍｏｄｅ”キー３７が押下されたときに次のような処理を行う。すなわち、制御部５３は、メモリ５４に格納されているメニューデータをＬＣＤドライバ５１を介してＬＣＤ３１に表示させ（ステップＳ７０）、電話機能モードあるいはリモコン機能モードのいずれか一方へのモード切替を促す。そして、ユーザによるスイッチ３２の操作で、電話機能モードに切り替えられたとき（ステップＳ７１：Ｙ）、ＲＦ５０を介して移動体通信による所定の電話機能を実行する（ステップＳ７２）。電話機能とは、例えばスイッチ３２の操作により、相手先との通話を行うなど、通常の携帯電話による無線通信を意味する。その後、例えば“Ｍｏｄｅ”キー３７の押下により再びモード切替が要求されたとき、あらかじめ決められた電話機能モードの終了が要求されない限り（ステップＳ７３：Ｎ）、上述した電話機能を実行することになるが、電話機能モードの終了が要求されたとき（ステップＳ７３：Ｙ）、一連の処理を終了する（エンド）。
【００５９】
　ステップＳ７１で電話機能モードに切り替えられず（ステップＳ７１：Ｎ）、リモコン機能モードに切り替えられたとき（ステップＳ７４：Ｙ）、メモリ５４に格納されている複数種類のリモコンデータから所望の機種を選択させる機種選択メニューを表示する（ステップＳ７５）。
【００６０】
　図１１は、ＬＣＤ３１に表示された機種選択メニューのイメージを表わしたものである。すなわち、図５に示したように複数の電子機器の遠隔操作を行うためにそれぞれあらかじめダウンロードしたリモコンデータを機種ごとに一覧表示し、カーソルキー４０の操作によりリモコン機能を実行した機種を選択させる。
【００６１】
　このようにあらかじめ複数機種のリモコンデータをダウンロードしておくことによって、ステップＳ７５で機種選択することができるので、同一無線携帯端末で複数の遠隔操作に共用することができる。
【００６２】
　ステップＳ７５で機種が選択されると、制御部５３は、メモリ５４に格納されている図１１で表示された各機種ごとに登録されているリモコン操作表示データを読み出し（ステップＳ７６）、これに基づいてＬＣＤ３１に表示する（ステップＳ７７）。リモコン操作表示データは、あらかじめメモリ５４に、例えばテレビジョン装置（Television：以下、テレビと略す。）、ビデオテープレコーダ装置（Video Tape Recorder：以下、ビデオと略す。）やエアコンディショニング装置（Air Conditioning：以下、エアコンと略す。）の遠隔操作に必要な表示データとして登録されているものであり、機種に応じて利用できない操作については機能しないようにすることができるようになっている。
【００６３】
　図１２は、図１１で示された機種選択メニューで機種名“ＮＥＣ−Ｔ−００１”が選択されたときにＬＣＤ３１に表示されるリモコン操作画面のイメージを表わしたものである。したがって、ユーザは各操作内容の左側に示される操作キーを駆使することで、機種名“ＮＥＣ−Ｔ−００１”の遠隔操作が可能となる。例えば、図１２でカーソルキー“△”を押下することによって“ＣＨ”（チャンネル番号）を“４”から“５”に遠隔操作することができる
　このようにユーザは、選択した機種に対応してＬＣＤ３１に表示されたリモコン操作表示画面に示されたスイッチを操作することによって、所望のリモコン機能を実現する（ステップＳ７８）。その後、例えば“Ｍｏｄｅ”キー３７の押下により再びモード切替が要求されたときなど、あらかじめ決められたリモコン機能モードの終了が要求されない限り（ステップＳ７９：Ｎ）、上述したリモコン機能を実行することになるが、リモコン機能モードの終了が要求されたとき（ステップＳ７９：Ｙ）、一連の処理を終了する（エンド）。
【００６４】
　ステップＳ７４でリモコン機能モードへの切替が指定されなかったとき（ステップＳ７４：Ｎ）、再びモード設定メニューを表示させて、電話機能モードあるいはリモコン機能モードの切り替えを促す。
【００６５】
　図１３は、図１０のステップＳ７８におけるリモコン機能ステップの処理内容の一例を表わしたものである。まず、制御部５３は、ＲＦ５０でアンテナ３４を介して着信呼の発生を監視する（ステップＳ８０）。着信呼の発生を検出したとき（ステップＳ８０：Ｙ）、リモコン機能に切り替えられているにもかかわらず、強制的に図１０に示すステップＳ７２の電話機能モードに切り替えて、着信呼に対する応対を可能とする。ステップＳ８０で着信呼の発生が検出されないとき（ステップＳ８０：Ｎ）、スイッチ３２の各キーの押下を監視する（ステップＳ８１：Ｎ）。スイッチ３２の各キーの押下が検出されたとき（ステップＳ８１：Ｙ）、既に図１０のステップＳ７５で選択された機種に対応して、図５のステップＳ６７でダウンロードされたリモコンデータから、押下が検出されたキーに対応するリモコン信号パターンを検索する（ステップＳ８２）。
【００６６】
　続いて、ステップＳ８２で検索されたリモコン信号パターンから発光パターンを生成し（ステップＳ８３）、他の遠隔操作用のリモコン信号との混信を防ぐため各メーカの機種ごとに独自の４０ｋＨｚ程度の変調を行った後（ステップＳ８４）、発光素子３５から発光信号として出力し（ステップＳ８５）、一連の処理を終了する（エンド）。
【００６７】
　次に、上述した構成の無線携帯端末の動作について具体的に説明する。
【００６８】
　ここで、サーバ２２には、次のようにあらかじめ複数メーカについて機種ごとにリモコンデータが登録されたリモコンデータ設定情報が格納されているものとする。
【００６９】
　図１４は、サーバ２２に登録されているリモコンデータ設定情報の構成の概要を表わしたものである。リモコンデータ設定情報９０は、メーカ９１ごとに、テレビ、ビデオ、エアコンや電灯などの各機種を特定する機種名９２ごとに、無線携帯端末２０のスイッチ３２の各キーの機能が割り当てられた割当情報９３とから構成されている。例えば、メーカ名“ＮＥＣ”の機種名“ＮＥＣ−Ｔ−００１”については、電源のオンまたはオフの切替である電源キーとしてスイッチ３２の“ＰＷＲ”キーが、音声切替キーとしてスイッチ３２の“＊”キーが、テレビまたはビデオの切替である“ＴＶ／ＶＴＲ”キーとしてスイッチ３２の“＃”キーが、それぞれ割り当てられることを示している。
【００７０】
　各キーには、さらに機種に応じた発光信号を生成するための信号コードがあらかじめ決められており、サーバ２２には図１４に示すリモコンデータ設定情報とともに、次のような信号コード情報が格納されている。
【００７１】
　図１５は、このようなサーバ２２に格納されている信号コード情報の構成の概要を表わしたものである。信号コード情報１００は、各操作内容ごとに信号コードが記憶されている。例えば、音量を大きくする遠隔操作を指示する発光信号を生成する“音量ＵＰ”の信号コードは、“Ｌ０００１１００１１０１０”であることを示す。ここで、各コードはそれぞれあらかじめ決められたパターンである。
【００７２】
　図１６は、各コードのパターンを表わしたものである。同図（ａ）は、コード“Ｌ”の信号パターンを示す。同図（ｂ）は、コード“１”の信号パターンを示す。同図（ｄ）は、コード“０”の信号パターンを示す。このように、図１５に示す信号コードは、このような各コードの信号パターンを組み合わせたものであり、記憶領域の節約のために上述したようにコード化されている。
【００７３】
　図１７は、各操作内容の発光パターンを表わしたものである。図１７（ａ）は、図１５に示す操作“電源オン／オフ”の信号コードに対応した発光パターンを示す。図１７（ｂ）は、図１５に示す操作“音量アップ”の信号コードに対応した発光パターンを示す。図１７（ｃ）は、図１５に示す操作“音量ダウン”の信号コードに対応した発光パターンを示す。図１７（ｄ）は、図１５に示す操作“チャンネルアップ”の信号コードに対応した発光パターンを示す。図１７（ｅ）は、図１５に示す操作“チャンネルダウン”の信号コードに対応した発光パターンを示す。図１７（ｆ）は、図１５に示す操作“ＴＶ／ＶＴＲ”の信号コードに対応した発光パターンを示す。
【００７４】
　ユーザがリモコン機能を付加するために、第１の実施例における無線携帯端末２０では、図５に示したようにユーザの“Ｍｅｎｕ”キーの押下により、図６に示すメニュー画面から“インターネットアクセス”が選択されると、ＬＣＤ３１に図７に示すＵＲＬ設定画面を表示する。ここで、あらかじめ決められたリモコンデータを格納するサーバのＵＲＬが設定されると、ＲＦ５０からインターネットに接続され、設定されたサーバにアクセスすることができる。そして、ユーザのスイッチ３２の操作により、リモコンデータのダウンロードが行われる。この際、ユーザによって選択された機種のリモコンデータは、図１４に示すキーの割当情報とともに、図１５に示す信号コードからなり、受信したリモコンデータは機種名に対応付けてメモリ５４に格納する。
【００７５】
　ここで、図１０に示したようにユーザの“Ｍｏｄｅ”キーの押下により、リモコン機能モードに切り替えられると、例えば図１１に示す機種選択画面が表示される。テレビの機種名“ＮＥＣ−Ｔ−００１”がユーザのキー操作によって選択されると、図１２に示すようにＬＣＤ３１にあらかじめ登録されたリモコン操作画面のイメージが表示される。チャンネルを“５”に変更したい場合に、ユーザによって例えばカーソルキー“△”が押下されると、制御部５３は既にダウンロードしてメモリ５４に格納された図１４に示すリモコン設定情報から“チャンネルアップ”と判別するとともに、図１５に示すように“Ｌ１０１１１００１１０１０”なる信号コードを読み出して、図１７（ｄ）に示す発光パターンを生成する。このように生成された発光パターンに基づいて、次に示すように発光素子３５から発光信号が出力される。
【００７６】
　図１８は、発光素子３５から出力される発光信号の概要を表わしたものである。すなわち、発光素子３５からは、ドライバ５２によって増幅された後、混信による誤動作防止のため各メーカの機種ごとに独自の４０ｋＨｚ程度の変調が行われた発光信号が出力される。
【００７７】
　このようなスイッチ操作にしたがって、図１２に示すＬＣＤに表示されるイメージは更新される。したがって、音量を変化させた場合、これに対応してインジケータも変化するようになっている。
【００７８】
　また、図１０に示したようにユーザの“Ｍｏｄｅ”キーの押下により、リモコン機能モードに切り替えられて機種選択画面が表示されたときに、図１９に示すようにエアコンの機種名“ＮＥＣ−Ａ−３０５”がユーザのキー操作によって選択されると、図２０に示すようにＬＣＤ３１にあらかじめ登録されたリモコン操作画面のイメージが表示される。除湿運転に変更したい場合、ユーザによって例えば“＊”キーを３回押下されると、制御部５３は既にダウンロードしてメモリ５４に格納された図１４に示すリモコン設定情報から“運転モード”と判別するとともに、同時にダウンロードされている信号コード情報から“運転モード”に対応する信号コードを読み出して発光パターンを生成する。この発光パターンは、ドライバ５２によって増幅および、混信による誤動作防止のため各メーカの機種ごとに独自の４０ｋＨｚ程度の変調が行われ、発光素子３５から発光信号が出力される。
【００７９】
　このようなスイッチ操作にしたがって、図２０に示すＬＣＤに表示されるイメージは更新される。したがって、例えば風向を変化させた場合、これに対応して風向インジケータも変化するようになっている。
【００８０】
　このように第１の実施例における無線携帯端末は、あらかじめ操作対象の装置ごとに遠隔操作に対応したリモコンデータを格納したインターネット上のサーバから、電話機能モードでＲＦ５０を介してダウンロードし、機種名に対応付けてメモリ５４に格納するようにした。そして、リモコン機能モードに切替後、選択された操作対象の装置に対応して、ダウンロードされた機種名のリモコンデータを読み出し、無線携帯端末２０の各スイッチ操作に、操作対象の装置の遠隔操作の内容を対応付けるようにした。したがって、無線携帯端末２０のスイッチ操作に対応して操作対象の装置の遠隔操作が可能なリモコン信号パターンを生成し、これを無線携帯端末に設けた発光素子から赤外線信号として出力する。これにより、従来のように受光素子を不要とし、無線携帯端末へのリモコン機能の取り込み作業の負荷が大幅に軽減される。また、リモコンプログラムに不具合があった場合でも、従来のようにリモコン装置本体を交換することなく、無線携帯端末内のリモコンデータを再ダウンロードによりアップデートすることによって、常に最新版のリモコンプログラムによる装置の遠隔操作を行うことができる。さらにまた、無線携帯端末が携帯電話である場合、リモコン機能で動作中であっても、着信呼の発生に伴って、強制的に電話機能モードに切り替えるようにしたので、迅速に電話応対を行うことができ、本来の電話機能を損なうことなく付加価値の高い無線携帯端末を提供することができる。
【実施例２】
【００８１】
　第１の実施例における無線携帯端末は、インターネット上のサーバに格納されたリモコンデータをダウンロードすることによってリモコン機能を付加していたが、第２の実施例における無線携帯端末はブラウザ機能を備え、インターネット上のサーバに格納されたリモコンデータが所定の情報記述言語で記述されたコンテンツを表示することによって、これにリンクされたデータを出力することでリモコン機能を付加するようにしている。
【００８２】
　第２の実施例における無線携帯端末が適用される通信システムは、図１と同様なので説明を省略する。また、第２の実施例における無線携帯端末の外観は、図２と同様なので説明を省略する。
【００８３】
　図２１は、第２の実施例における無線携帯端末によりリモコン機能を実現するためのユーザの作業の流れの概要を表わしたものである。まずユーザは、電話機能モードで無線携帯端末からインターネットを介してサーバに接続する（ステップＳ１１０）。そして、このサーバに格納されている各種電子機器のリモコンデータが所定の情報記述言語で記述されたコンテンツデータを取得し、端末の表示部であるＬＣＤに表示する（ステップＳ１１１）。そして、表示されたコンテンツをスイッチあるいはカーソルキーの操作で選択することによって、これにリンクされたリモコンデータの発光パターンを生成し、発光素子から発光する。これにより、ユーザは、取得したコンテンツに対応する電子機器の遠隔操作を行うことができる（ステップＳ１１２）。
【００８４】
　図２２は、第２の実施例における無線携帯端末の構成の概要を表わしたものである。ただし、図４に示す第１の実施例における無線携帯端末２０と同一部分には同一符号を付し、適宜説明を省略する。第２の実施例における無線携帯端末１２０は、アンテナ３４を介して無線通信を行うＲＦ５０と、文字等の情報を表示するＬＣＤ３１と、ＬＣＤ３１を駆動して指示された表示情報にしたがって表示させるＬＣＤドライバ５１と、例えば発光ダイオードからなる発光素子３５と、発光素子３５を駆動してリモコンデータに対応した信号を発光させるドライバ５２と、これら端末各部の制御を司る制御部１２１と、制御部１２１の処理結果やリモコンデータ等を格納するためのメモリ１２２と、各種操作内容を入力するためのスイッチ３２と、所定の情報記述言語で記述されたコンテンツをＬＣＤ３１に表示するとともにコンテンツにリンクされた各種データを制御部１２１に出力するブラウザ機能部１２３とを備えている。
【００８５】
　このような構成の第２の実施例における無線携帯端末１２０では、メモリ１２２にあらかじめ設定されているメニューデータをＬＣＤドライバ５１を介してＬＣＤ３１に表示し、スイッチ３２による操作内容にしたがって、ＲＦ５０を介した移動通信あるいはインターネットアクセスを行ったり、ドライバ５２を介して発光素子３５から電子機器を遠隔操作する発光パターンを出力したりする。
【００８６】
　制御部１２１は、図示しないＣＰＵを有しており、メモリ１２２に格納された制御プログラムにしたがって上述した制御を行うことができるようになっている。
【００８７】
　図２３は、制御部１２１による各種機能を設定する設定処理のうち上述したインターネットアクセス処理に関する処理内容の一例を表わしたものである。制御部１２１は、例えばスイッチにおける各キーの押下を監視しており、“Ｍｅｎｕ”キーが押下されたときに次のような処理を行う。すなわち、制御部１２１は、メモリ１２２に格納されているメニューデータを、ＬＣＤドライバ５１を介してＬＣＤ３１に表示させる（ステップＳ１３０）。
【００８８】
　ステップＳ１３０によるメニュー表示後、カーソルキーの操作によって“電話帳”が選択されたとき（ステップＳ１３１：Ｙ）、メモリ１２２に格納されている電話帳登録情報を読み出して所定の電話帳機能を実行し（ステップＳ１３２）、一連の処理を終了する（エンド）。ステップＳ１３１で、カーソルキーの操作によって“電話帳”が選択されずに“着信音設定”が選択されたとき（ステップＳ１３１：Ｎ、ステップＳ１３３：Ｙ）、メモリ１２２に格納されている着信音設定情報を読み出して所定の着信音設定機能を実行し（ステップＳ１３４）、一連の処理を終了する（エンド）。ステップＳ１３３で、カーソルキーの操作によって“着信音設定”が選択されずに“インターネットアクセス”が選択されたとき（ステップＳ１３３：Ｎ、ステップＳ１３５：Ｙ）、メモリ１２２に格納されているインターネット上の各種リソースの場所を特定するためのＵＲＬ（Uniform Resource Locators）設定処理情報を読み出して、所定のインターネットアクセス機能を実行するために必要なアクセスすべきインターネット上のサーバを特定するＵＲＬをスイッチの操作により入力させる（ステップＳ１３６）。
【００８９】
　このようにＵＲＬ設定後、制御部１２１は、ＲＦ５０を介してインターネット上のサーバにアクセスする。さらに、制御部１２１は、これをアンテナ３４を介してＲＦ５０でアクセスしたサーバに格納されているリモコンデータが所定の情報記述言語で記述されたコンテンツデータを受信し（ステップＳ１３７）、メモリ１２２に格納する（ステップＳ１３８）とともに、ブラウザ機能部１２３によりＬＣＤ３１にコンテンツを表示させて、一連の処理を終了する（エンド）。
【００９０】
　なお、ステップＳ１３５で、カーソルキーの操作によって“インターネットアクセス”が選択されず、“その他設定”が選択されたとき（ステップＳ１３５：Ｎ）、メモリ１２２に格納されているその他設定情報に基づいて設定機能を実行し（ステップＳ１３９）、一連の処理を終了する（エンド）。
【００９１】
　このようにサーバにアクセスして、所望のリモコンデータが所定の情報記述言語で記述されたコンテンツデータを取得した（図２１のステップＳ１１０、ステップＳ１１１）後は、“Ｍｏｄｅ”キーの操作によって通常の電話機能の他に、リモコン機能を実行させることができる（図２１のステップＳ１１２）。
【００９２】
　コンテンツデータは、情報記述言語として例えばハイパーテキストマークアップ言語（HyperText Markup Language：以下、ＨＴＭＬと略す。）で記述される。ＨＴＭＬは、テキストファイルであり、タグと呼ばれる記号“＜”、“＞”で挟まれたコードに応じて、文字の修飾やレイアウトの指定を行うことができるようになっている。そして、このコードをブラウザ機能部１２３で解釈することによって、ＨＴＭＬテキストデータの表示を行う。さらにＨＴＭＬの特徴とするところは、特定の表示データを他のＨＴＭＬテキストにリンクすることができる点である。これにより、装置自体には表示用のＨＴＭＬテキストだけを有していれば、リンク先の大容量データを必要なときだけ取り込むといったことが可能となる。サーバに格納されているコンテンツデータは、リモコンデータの機能名それぞれに対応して、電子機器を直接制御するリモコンデータがリンクされている。
【００９３】
　したがって、第２の実施例における無線携帯端末１２０は、ブラウザ機能部１２３により受信したコンテンツデータをＬＣＤ３１に表示し、スイッチの操作により所望のリモコン操作を選択させることで、ＨＴＭＬによって選択されたリモコン操作にリンクされているリモコンデータに対応した発光パターンが生成される。そして、ドライバ５２によって増幅および、混信による誤動作防止のため各メーカの機種ごとに独自の４０ｋＨｚ程度の変調が行われ、発光素子３５から発光信号が出力される。
【００９４】
　第２の実施例における無線携帯端末１２０の制御部１２１による機能モード設定の処理は、図１０に示す第１の実施例における無線携帯端末と同様なので説明を省略するが、リモコン機能ステップの処理が異なる。
【００９５】
　図２４は、第２の実施例における無線携帯端末のリモコン機能ステップの処理内容の一例を表わしたものである。まず、制御部１２１は、ＲＦ５０でアンテナ３４を介して着信呼の発生を監視する（ステップＳ１４０）。着信呼の発生を検出したとき（ステップＳ１４０：Ｙ）、リモコン機能に切り替えられているにもかかわらず、強制的に図１０に示すステップＳ７２の電話機能モードに切り替えて着信呼に対する応対を可能とする。ステップＳ１４０で着信呼の発生が検出されないとき（ステップＳ１４０：Ｎ）、ＬＣＤ３１に表示されたコンテンツに各リモコン操作の内容がリンクされているスイッチの各キーの押下を監視する（ステップＳ１４１：Ｎ）。スイッチの各キーの押下が検出されたとき（ステップＳ１４１：Ｙ）、ブラウザ機能部１２３により押下されたキーにリンクされているデータを制御部１２１に出力する。このリンクデータは、例えば図１５に示す信号コードであり、制御部１２１は、これと図１６に示す各コードの信号パターンとから第１の実施例と同様に発光パターンを生成する（ステップＳ１４２）。
【００９６】
　続いてステップＳ１４２で生成された発光パターンに対して、他の遠隔操作用のリモコン信号との混信を防ぐため各メーカの機種ごとに独自の４０ｋＨｚ程度の変調を行った後（ステップＳ１４３）、発光素子３５から発光信号として出力し（ステップＳ１４４）、一連の処理を終了する（エンド）。
【００９７】
　このように第２の実施例における無線携帯端末は、あらかじめ操作対象の装置ごとに遠隔操作に対応したリモコンデータが所定の情報記述言語で記述されたコンテンツデータを格納したインターネット上のサーバから、電話機能モードでＲＦ５０を介してダウンロードし、メモリ５４に格納するようにした。そして、リモコン機能モードに切替後、選択された操作対象の装置に対応して、受信したコンテンツデータをブラウザ機能部１２３で表示することによって、ユーザのスイッチ操作によって選択されたコンテンツ上のリモコン操作にリンクされたデータから、操作対象の装置の遠隔操作が可能なリモコン信号パターンを生成するようにし、これを無線携帯端末に設けた発光素子から赤外線信号として出力する。これにより、無線携帯端末に取り込んだ既存のリモコン装置とスイッチの数や位置が異なっている場合であっても、ＬＣＤに表示された画面上で操作するだけで良いので、操作性を向上させることができるとともに、既存のインターネットシステムへの適用も容易となる。
【実施例３】
【００９８】
　第２の実施例における無線携帯端末では、サーバから取得したコンテンツデータをブラウザ機能部により表示し、スイッチ操作によりリモコン操作を行うものとして説明したが、これに限定されるものではない。例えば、第３の実施例における無線携帯端末では、タッチパネルを有し、タッチパネル上で指定されたリモコン操作にリンクされているデータから発光パターンを生成するようにしている。
【００９９】
　第３の実施例における無線携帯端末が適用される通信システムは、図１と同様なので説明を省略する。
【０１００】
　図２５は、第３の実施例における無線携帯端末の構成の概要を表わしたものである。ただし、図２２に示す第２の実施例における無線携帯端末２０と同一部分には同一符号を付し、適宜説明を省略する。第３の実施例における無線携帯端末１５０は、アンテナ３４を介して無線通信を行うＲＦ５０と、文字等の情報を表示するＬＣＤ３１と、ＬＣＤ３１を駆動して指示された表示情報にしたがって表示させるＬＣＤドライバ５１と、例えば発光ダイオードからなる発光素子３５と、発光素子３５を駆動してリモコンデータに対応した信号を発光させるドライバ５２と、これら端末各部の制御を司る制御部１５１と、制御部１５１の処理結果やリモコンデータ等を格納するためのメモリ１５２と、各種操作内容を入力するためのタッチパネル１５３と、所定の情報記述言語で記述されたコンテンツをＬＣＤ３１に表示するとともにコンテンツにリンクされた各種データを制御部１２１に出力するブラウザ機能部１２３とを備えている。
【０１０１】
　このような構成の第３の実施例における無線携帯端末１５０では、第２の実施例における無線携帯端末１２０と同様に、メニュー表示したがって、インターネットにアクセスしてリモコンデータが所定の情報記述言語で記述されたコンテンツデータを受信するが、タッチパネル１５３によって各種操作内容を指定する点のみが異なる。したがって、第３の実施例における無線携帯端末の動作は、第２の実施例における無線携帯端末と同様であるため、説明を省略する。
【０１０２】
　しかしながら、第３の実施例における無線携帯端末は、ＬＣＤ３１の上部にタッチパネルを備えることで、選択した機種に対応して受信したコンテンツデータをＬＣＤ３１にグラフィック表示することによって、本来のリモコン装置本体と同じ位置にキーを配置させたリモコン操作画面を表示して、ユーザに対して機種ごとに最適な操作環境を与えることができる。
【０１０３】
　図２６は、第３の実施例における無線携帯端末１５０の外観を表わしたものである。無線携帯端末１５０は、その正面に、スピーカ３０と、ＬＣＤ３１の上部にタッチパネル１５３と、マイクロフォン３３とが配置されている。さらに無線携帯端末１５０は、スピーカ３０の図２６において上側に位置する端面に、アンテナ３４と、発光素子３５とを備えている。
【０１０４】
　したがって、ＬＣＤ３１にグラフィック表示されたリモコン操作画面において、それぞれ各リモコン操作キーを、本来のリモコン装置本体と同様の位置に配置することによって、ユーザはＬＣＤ３１の上部に備えられたタッチパネル１５３からこれまでと同様の操作性を保持したままの遠隔操作が可能となる。例えば、風量の“△”の位置に、風量アップのリモコンデータをリンクすることによって、ユーザが“△”の位置を押下したとき、この押下位置にリンクされているリモコンデータにより発光パターンが生成され、第２の実施例と同様に発光素子３５から発光信号が出力される。
【０１０５】
　このようなスイッチ操作にしたがって、ＬＣＤ３１にグラフィック表示された風量インジケータや風向インジケータは更新されるようになっている。
【０１０６】
　このように第３の実施例における無線携帯端末では、サーバからリモコンの機種に対応したリモコン操作画面を表示して各キー位置にリモコンデータがリンクされたコンテンツを受信してブラウザ機能部により閲覧し、タッチパネルにより直接、表示されたキー位置を押下してこの位置にリンクされたリモコンデータから操作対象の装置の遠隔操作が可能なリモコン信号パターンを生成するようにし、これを無線携帯端末に設けた発光素子から赤外線信号として出力するようにした。これにより、既存のリモコン装置本体と同じ機能、視認性、操作性を備えたリモコン機能が付加された無線携帯端末を提供することができる。
（変形例）
　第１〜第３の実施例では、発光素子をリモコン操作の制御デバイスとして説明したが、これに限定されるものではない。例えば、次世代の無線接続技術として、家庭内やオフィス内で、パーソナルコンピュータ、携帯電話あるいは家電製品等の電子機器間の無線による接続を可能とするＢｌｕｅｔｏｏｔｈシステムやＨｏｍｅＲＦシステム等にも適用することができる。
【０１０７】
　これら次世代のシステムでは、互いに制御コマンドを無線により通信することによって他の電子機器等の状態を把握したり、遠隔操作等が可能となる。したがって、第１〜第３の実施例では、リモコンデータとして発光パターンを各種形態でダウンロードしていたが、所定の制御コマンドをダウンロードすることによって容易に上述したシステムに適用することができる。この場合、無線による通信が可能となるため、発光素子による赤外線を用いる場合と異なり、無指向性の電波を用いることができる。したがって、ユーザにとっても操作対象の電子機器等に発光部を向ける必要がなく、使い勝手が格段に向上する。
【０１０８】
　なお第１〜第３の実施例では、無線携帯端末が携帯電話である場合について説明したが、これに限定されるものではない。例えば、無線携帯端末が、情報携帯端末（Personal Digital Assistants：ＰＤＡ）でもよく、サーバにアクセスして取得したリモコンデータを、操作対象となる装置に対して出力できれば良い。
【０１０９】
　なお第２の実施例における無線携帯端末では、閲覧したコンテンツをメモリに格納し、必要なときにメモリから読み出すものとして説明したが、これに限定されるものではなく、例えばリモコン機能としてリモコン操作が指定されるたびにコンテンツをダウンロードするようにしても良い。
【図面の簡単な説明】
【０１１０】
【図１】本発明の第１の実施例における無線携帯端末が適用される通信システムの構成の概要を示す構成図である。
【図２】第１の実施例における無線携帯端末の外観を表わした正面図である。
【図３】第１の実施例における無線携帯端末のリモコン機能を実現するためのユーザの作業の概要を示す流れ図である。
【図４】第１の実施例における無線携帯端末の構成の概要を示すブロック図である。
【図５】第１の実施例における無線携帯端末のインターネットアクセス処理の処理内容の一例を示す流れ図である。
【図６】第１の実施例におけるメニュー表示状態のイメージを示す説明図である。
【図７】第１の実施例におけるＵＲＬ設定画面のイメージを示す説明図である。
【図８】第１の実施例におけるダウンロードしたホームページのイメージを示す説明図である。
【図９】第１の実施例におけるダウンロードメニュー表示状態のイメージを示す説明図である。
【図１０】第１の実施例における機能モード設定処理の処理内容の一例を示す流れ図である。
【図１１】第１の実施例における機種選択メニュー表示状態のイメージを示す説明図である。
【図１２】第１の実施例におけるリモコン操作画面のイメージの一例を示す説明図である。
【図１３】第１の実施例におけるリモコン機能ステップの処理内容の一例を示す流れ図である。
【図１４】第１の実施例におけるリモコンデータ設定情報の構成の概要を示す説明図である。
【図１５】第１の実施例における信号コード情報の構成の概要を示す説明図である。
【図１６】第１の実施例における信号コードの各パターンを示す説明図である。
【図１７】第１の実施例における各リモコン操作内容の発光パターンを示す説明図である。
【図１８】第１の実施例における発光素子から出力される発光信号の概要を示す説明図である。
【図１９】第１の実施例におけるエアコンの選択を表示するイメージを示す説明図である。
【図２０】第１の実施例におけるエアコンのリモコン操作表示状態のイメージを示す説明図である。
【図２１】第２の実施例における無線携帯端末のリモコン機能を実現するためのユーザの作業の概要を示す流れ図である。
【図２２】第２の実施例における無線携帯端末の構成の概要を示すブロック図である。
【図２３】第２の実施例における無線携帯端末のインターネットアクセス処理の処理内容の一例を示す流れ図である。
【図２４】第２の実施例におけるリモコン機能ステップの処理内容の一例を示す流れ図である。
【図２５】第３の実施例における無線携帯端末の構成の概要を示すブロック図である。
【図２６】第３の実施例における無線携帯端末の外観を表わした正面図である。
【図２７】従来提案されたリモコン機能が付加された無線携帯端末の構成の概要を示す構成図である。
【符号の説明】
【０１１１】
　　　２０　無線携帯端末
　　　２１　インターネット
　　　２２　サーバ
　　　３１　ＬＣＤ
　　　３２　スイッチ
　　　３４　アンテナ
　　　３５　発光素子
　　　５０　ＲＦ
　　　５１　ＬＣＤドライバ
　　　５２　ドライバ
　　　５３　制御部
　　　５４　メモリ
【図１】
2004048777.tif 000003
【図２】
2004048777.tif 000004
【図３】
2004048777.tif 000005
【図４】
2004048777.tif 000006
【図５】
2004048777.tif 000007
【図６】
2004048777.tif 000008
【図７】
2004048777.tif 000009
【図８】
2004048777.tif 000010
【図９】
2004048777.tif 000011
【図１０】
2004048777.tif 000012
【図１１】
2004048777.tif 000013
【図１２】
2004048777.tif 000014
【図１３】
2004048777.tif 000015
【図１４】
2004048777.tif 000016
【図１５】
2004048777.tif 000017
【図１６】
2004048777.tif 000018
【図１７】
2004048777.tif 000019
【図１８】
2004048777.tif 000020
【図１９】
2004048777.tif 000021
【図２０】
2004048777.tif 000022
【図２１】
2004048777.tif 000023
【図２２】
2004048777.tif 000024
【図２３】
2004048777.tif 000025
【図２４】
2004048777.tif 000026
【図２５】
2004048777.tif 000027
【図２６】
2004048777.tif 000028
【図２７】
2004048777.tif 000029